(57)【要約】【課題】同一周波数を用いてＲＦＩＤリーダと通信を行う複数のＲＦＩＤチップを収納容器に格納して使用する場合、ＲＦＩＤリーダからの問い合わせ信号と複数のＲＦＩＤチップからの応答信号との間で混信が生じ、スムーズな通信処理を行うことができなくなる。【解決手段】収納容器に、ＲＦＩＤチップを埋め込んだ複数のプラスティックカードを格納する場所、電磁波を遮蔽するためのシールド、格納されたプラスティックカードを特定できる色彩、文字、凹凸模様等の情報を施された外部表面を備えた。使用者は収納容器の外部表面に施された色彩、文字、凹凸模様等の情報に基づき、利用するＲＦＩＤチップを選定し、選定したＲＦＩＤチップをＲＦＩＤリーダに向けて最も近くなるように位置取りし、ＲＦＩＤリーダに向かってシールドの背後に他のＲＦＩＤチップがくるように位置取りをして使用することで、発生する混信の程度を低下させる。【選択図】  図１
2006309630.tif 000002
【特許請求の範囲】
【請求項１】
同一周波数を用いて、ＲＦＩＤリーダと通信を行うＲＦＩＤチップをそれぞれに埋め込んだ二枚のプラスティックカードを格納する収納容器において、
中心で折り畳みのできる収納容器の左右両側にそれぞれ格納場所を設定して、ＲＦＩＤチップを埋め込んだプラスティックカードを保持する手段と、
当該収納容器を折り畳んだ時に、格納した二枚のプラスティックカードの間にシールドを設置して電磁波を遮蔽する手段と、  
使用者が折り畳んだ収納容器の外側表面に施された色彩、文字、凹凸模様等の情報に基づいて当該収納容器に格納されているＲＦＩＤチップの内の一方を選定する手段を有し、
利用する際には、使用者が折り畳んだ収納容器の外側表面に施された色彩、文字、凹凸模様等の情報に基づいてＲＦＩＤリーダと通信させたいＲＦＩＤチップを選定し、選定した一方のＲＦＩＤチップをＲＦＩＤリーダの最も近くに位置取りし、ＲＦＩＤリーダに向かってシールドの背後に他方のＲＦＩＤチップが来るように位置取りをして収納容器を使用することで、二つのＲＦＩＤチップとＲＦＩＤリーダとの間に生じる混信の程度を低下させることを特徴とする収納容器。
【請求項２】
同一周波数を用いて、ＲＦＩＤリーダと通信を行う二つのＲＦＩＤチップを埋め込んだ一枚のプラスティックカードにおいて、
二つのＲＦＩＤチップの間にシールドを設置して電磁波を遮蔽する手段と、  
電磁波を遮蔽するシールド及び当該シールドの両側に一つずつ配置した二つのＲＦＩＤチップを一体としてプラスティックの中に埋め込んで、一枚のプラスティックカードとして成形し、当該プラスティックカードの表面に色彩、文字、凹凸模様等の情報を施して、使用者がプラスティックカードに埋め込んであるＲＦＩＤチップの内の一方を選定する手段を有し、
利用に際しては、使用者がプラスティックカードの表面に施した色彩、文字、凹凸模様等の情報に基づいてＲＦＩＤリーダと通信させたいＲＦＩＤチップを選定し、選定したＲＦＩＤチップをＲＦＩＤリーダの最も近く位置取りし、ＲＦＩＤリーダに向かってシールドの背後に他方のＲＦＩＤチップが来るように位置取りをしてプラスティックカードを使用することで、二つのＲＦＩＤチップとＲＦＩＤリーダとの間に生じる混信の程度を低下させることを特徴とするプラスティックカード。
【請求項３】
請求項２記載のプラスティックカードを利用するに際して、
折り畳んだ状態において、表面と裏面に施した色彩、文字、凹凸模様が異なる収納容器に、
使用者が当該プラスティクカードを入れて保持する手段と、
使用者がプラスティックカードを収納容器に格納するに際して、その表面に色彩、文字、凹凸模様等の情報と収納容器に施した色彩、文字、凹凸模様等の情報を関連付けて識別する手段と、
使用者が折り畳んだ収納容器の外側表面に施された色彩、文字、凹凸模様等の情報に基づいて当該収納容器に格納されているプラスティックカードに埋め込まれている二つのＲＦＩＤチップの内から、一方を選定する手段を有し、
利用する際には、使用者が折り畳んだ収納容器の外側表面に施された色彩、文字、凹凸模様等の情報に基づいてＲＦＩＤリーダと通信させたいＲＦＩＤチップを選定し、選定した一方のＲＦＩＤチップをＲＦＩＤリーダの最も近くに位置取りし、ＲＦＩＤリーダに向かってシールドの背後に他方のＲＦＩＤチップが来るように位置取りをして収納容器を使用することで、二つのＲＦＩＤチップとＲＦＩＤリーダとの間に生じる混信の程度を低下させることを特徴とする収納容器。
【請求項４】
同一周波数を用いて、ＲＦＩＤリーダと通信を行うＲＦＩＤチップをそれぞれに埋め込んだ複数のプラスティックカードを格納する収納容器において、
中心で折り畳みのできる収納容器の左右両側に格納場所を設定して、ＲＦＩＤチップを埋め込んだプラスティックカードをそれぞれに保持する手段と、
収納容器の左側下方表面部と右側上方表面部のそれぞれに施された色彩、文字、凹凸模様等の情報に基づいて、使用者が折り畳んだ収納容器の裏表と上下を識別する手段と、
一方のプラスティックカードを格納する場所においては、プラスティックカードに埋め込まれたＲＦＩＤチップを格納する収納容器を部分的にシールドで覆って電磁波を遮蔽する手段と、
一方のプラスティックカードを格納する時には、使用者が収納容器の左側下方表面部に施された色彩、文字、凹凸模様等の情報に基づいて、ＲＦＩＤチップをシールドされた部分に位置するように格納する手段と、
他方のプラスティックカードを格納する時には、使用者が収納容器の右側上方表面部に施された色彩、文字、凹凸模様等の情報に基づいて、埋め込まれたＲＦＩＤチップが収納容器の上方部分に位置するように格納する手段を有し、
利用に際しては、使用者が折り畳んだ状態の収納容器をＲＦＩＤリーダと平行になるように位置取りをして使用することで、複数のＲＦＩＤチップとＲＦＩＤリーダとの間に生じる混信の程度を低下させることを特徴とする収納容器。
【請求項５】
同一周波数を用いて、ＲＦＩＤリーダと通信を行うＲＦＩＤチップをそれぞれに埋め込んだ複数のプラスティックカードを格納する収納容器において、
中心で折り畳みのできる収納容器の左右両側及び真中に格納場所を設定して、ＲＦＩＤチップを埋め込んだプラスティックカードをそれぞれに保持する手段と、
収納容器の左側下方表面部と右側上方表面部のそれぞれに施された色彩、文字、凹凸模様等の情報に基づいて、使用者が折り畳んだ収納容器の裏表と上下を識別する手段と、
左側及び真中のプラスティックカード格納場所においては、プラスティックカードに埋め込まれたＲＦＩＤチップを格納する場所の両面を部分的にシールドで覆って電磁波を遮蔽する手段と、
右側及び真中の格納場所にプラスティックカードを格納する時には、使用者が収納容器の左側下方表面部に施された色彩、文字、凹凸模様等の情報に基づいて、ＲＦＩＤチップをシールドされた下方部分に位置するように格納する手段と、
右側の格納場所にプラスティックカードを格納する時には、使用者が収納容器の右側上方表面部に施された色彩、文字、凹凸模様等の情報に基づいて、埋め込まれたＲＦＩＤチップが収納容器の上方部分に位置するように格納する手段と、
真中の収納場所に部分的に穴を開けることにより、格納場所にプラスティックカードを出し入れしやすくする手段を有し、
利用に際しては、使用者が折り畳んだ状態の収納容器をＲＦＩＤリーダと平行になるように位置取りをして使用することで、複数のＲＦＩＤチップとＲＦＩＤリーダとの間に生じる混信の程度を低下させることを特徴とする収納容器。
【発明の詳細な説明】
【技術分野】
【０００１】
本発明はＲＦＩＤチップとＲＦＩＤリーダ間の混信程度の低下に関する。
【背景技術】
【０００２】
従来は、記録媒体に記憶されたデータが悪意を持った第三者によって、破
壊、改竄、不正取得されるのを防止することができる非接触型記録媒体の収納容器に関す
る発明はあった。(例えば、特許文献１)
【特許文献１】特許公開番号２００３-３００５７９
【０００３】
その他、財布や定期入れ等からの出し入れが容易なＩＣカードを提供する発明はあった。
(例えば、特許文献２)
【特許文献２】特許公開番号平１１-２１３１２０
【０００４】
だが、これらは収納容器に内蔵した複数のＲＦＩＤチップとＲＦＩＤリー
ダとの混信程を低下させるための発明ではない。
また、特許文献１では、収納容器の片側だけをシールドしているため、ＲＦＩＤチップの
後方にシールドが位置する場合においては、後方からの侵害対策としては有効であるが、
前方からの破壊、改竄、不正取得に対処することはできない。
【発明の開示】
【発明が解決しようとする課題】
【０００５】
近年、ＲＦＩＤ利用技術の標準化が進み、同一周波数
を用いるＲＦＩＤチップが発行されることが多くなっているものの、ＲＦＩＤが普及する
に伴い、一人の人がＲＦＩＤチップを埋め込んだ複数のプラスティックカードを所持する
ことが多くなっている。
【０００６】
このため、使用者は、一つの収納容器に複数のＲＦＩＤチップを格納する
場合においては、ＲＦＩＤチップを埋め込んだプラスティックカードを収納容器から抜き
出して利用せざるをえない。
【０００７】
一方、一つの収納容器に同一周波数を用いる複数のＲＦＩＤチップを格納
したまま使用すると、複数のＲＦＩＤチップとＲＦＩＤリーダの間で電磁波の混信状態が
発生して、スムーズな通信が行えない。
【０００８】
本発明では、ＲＦＩＤチップを埋め込んだ複数のプラスティックカードを
格納する場所、電磁波を遮蔽するために複数のＲＦＩＤチップの間に設置したシールド、
格納されたＲＦＩＤチップを特定できる色彩、文字、凹凸模様等の情報を施された外部表
面を備えた収納容器を作成する。
【０００９】
使用者は収納容器の外部表面に施された色彩、文字、凹凸模様等の情報に
基づき、利用するＲＦＩＤチップを選定し、選定したＲＦＩＤチップをＲＦＩＤリーダに
向けて最も近くなるように位置取りし、ＲＦＩＤリーダに向かってシールドの背後に他の
ＲＦＩＤチップがくるように位置取りをして使用することで、混信の程度を低下させる。
【００１０】
また、請求項５において、左側及び真中のプラスティックカード格納場所
は部分的に両側からシールドされているため、使用者は不正な問い合わせ、破壊、改竄か
ら格納したＲＦＩＤチップを防護することができる。
【課題を解決するための手段】
【００１１】
まず、図２に基づいて、本発明が２つのＲＦＩＤチップ
とＲＦＩＤリーダの間で発生する混信の程度を低下させるための手段について説明する。
【００１２】
本発明は、同一の周波数を使用する２つのＲＦＩＤチップを埋め込んだプ
ラスティックカードを収納容器の第１折り畳み部と第２折り畳み部に設けた格納場所にそ
れぞれ格納し、２つのＲＦＩＤチップの間に電磁波を遮蔽するシールドを設置することで、
一方のＲＦＩＤチップがＲＦＩＤリーダに向けて通信処理を行った際に、他方のＲＦＩＤ
チップからの影響を受けて発生する混信の程度を低下させるようにした収納容器と、
使用者が、収納容器の第１折り畳み部の外側表面に施された色彩、文字、凹凸模様等の
情報と、収納容器の第２折り畳み部の外側表面に施されている色彩、文字、凹凸模様を識
別することで、第１折り畳み部に格納されたＲＦＩＤチップ及び第２折り畳み部に格納さ
れたＲＦＩＤチップの内の一方を選定する手段と、
使用者が、ＲＦＩＤリーダと通信させたいＲＦＩＤチップをＲＦＩＤリーダの最も近くに
位置取し、ＲＦＩＤリーダに向かって電磁波を遮蔽するシールドの背後に通信させたくな
いＲＦＩＤチップが来るように収納容器を位置取りして使用することで、２つのＲＦＩＤ
チップとＲＦＩＤリーダの間で発生する混信の程度を低下させる。
【００１３】
次に、図３及に基づいて、本発明が２つのＲＦＩＤチップとＲＦＩＤリー
ダの間で発生する混信の程度を低下させるための手段について説明する。
【００１４】
本発明は、電磁波を遮蔽するシールドの両側に同一周波数を使用するＲＦ
ＩＤチップを一個ずつ配置し、この全体を一体として埋め込んだプラスティックカードを
作成して、一方のＲＦＩＤチップをＲＦＩＤリーダに向けて通信処理を行った際に、他方
のＲＦＩＤチップからの影響を受けて発生する混信の程度を低下させるようにしたプラス
ティックカードと、
使用者がプラスティックカードの一方の面に施された色彩、文字、凹凸模様等の情報を利
用してプラスティックカードの裏と表を識別することで、使用者が一枚のプラスティック
カードの両側に配置したＲＦＩＤチップの内の一方を選定できる手段を有しており、
使用者が、ＲＦＩＤリーダと通信させたいＲＦＩＤチップをＲＦＩＤリーダの最も近くに
位置取をし、ＲＦＩＤリーダに向かって電磁波を遮蔽するシールドの背後に通信させたく
ないＲＦＩＤチップが来るようにプラスティックカードを位置取りして使用することで、
２つのＲＦＩＤチップとＲＦＩＤリーダの間で発生する混信の程度を低下させる。
【００１５】
また、当該プラスティックカードを収納容器にいれて使用する場合におい
て、
折り畳んだ収納容器の表面と裏面にそれぞれ異なる色彩、文字、凹凸模様を施すことによ
り、使用者が収納容器の表面と裏面を識別する手段と、
収納容器の表面に施された色彩、文字、凹凸模様等の情報と、裏面に施されている色彩、
文字、凹凸模様を識別することで、使用者がプラスティックカードに埋め込まれている二
つのＲＦＩＤチップの内から一方を選定できる手段と、
使用者がＲＦＩＤリーダと通信させたいＲＦＩＤチップをＲＦＩＤリーダの最も近くに位
置取し、ＲＦＩＤリーダに向かって電磁波を遮蔽するシールドの背後に通信させたくない
ＲＦＩＤチップが来るように収納容器を位置取りして使用することで、使用者は収納容器
からプラスティックカードを出し入れせずに使用できる。
【００１６】
次に、図４に基づいて、本発明が複数のＲＦＩＤチップとＲＦＩＤリーダ
の間で発生する混信の程度を低下させるための手段について説明する。
【００１７】
本発明は、ＲＦＩＤチップを埋め込んだ一方のプラスティックカード格納
する場所である第１折り畳み部とＲＦＩＤチップを埋め込んだ他方のプラスティックカー
ドを格納する場所である第２折り畳み部を有する収納容器と、
第１折り畳み部の両面を部分的にシールドで覆うことによって、ＲＦＩＤリーダと収納容
器に格納した複数のＲＦＩＤチップと通信の際に生じる混信の程度を低下させる手段と、
使用者が、第１折り畳み部にプラスティックカードを格納する時には、第１折り畳み部の
下方表面部及び第２折り畳み部の上方表面部のそれぞれに施された色彩、文字、凹凸模様
等の情報に基づいて、収納容器の上下を識別し、埋め込まれたＲＦＩＤチップがシールド
で覆われた下方部分に位置するように格納する手段と、
使用者が、第２折り畳み部にプラスティックカードを格納する時には、第１折り畳み部の
下方表面部及び第２折り畳み部の上方表面部のそれぞれに施された色彩、文字、凹凸模様
等の情報に基づいて、収納容器の上下を識別して、埋め込まれたＲＦＩＤチップが収納容
器の収納容器の上方部分に位置するように格納する手段を有し、
使用に際しては、使用者が当該収納容器に格納したプラスティックカードをＲＦＩＤリー
ダと平行になるように当該収納容器を位置取りすることで、複数のＲＦＩＤチップとＲＦ
ＩＤリーダとの間で発生する混信の程度を低下させる。
【００１８】
また、第１折り畳み部のプラスティックカード格納場所において、ＲＦＩ
Ｄチップ格納する部分は両面をシールドで覆って電磁波を遮蔽しているため、当該収納場
所に格納されたＲＦＩＤチップは不正な問い合わせからは防衛されている。
【００１９】
また、他方のプラスティックカードに埋め込まれたＲＦＩＤチップは、シ
ールドされていないため、ＲＦＩＤリーダとの間で電磁波を用いて自由に信号を交換する
ことができる。
【００２０】
次に、図５に基づいて、本発明が複数のＲＦＩＤチップとＲＦＩＤリーダ
の間で発生する混信の程度を低下させるための手段について説明する。
【００２１】
本発明は、余り頻繁には使われないＲＦＩＤチップを埋め込んだプラステ
ィックカードを格納する場所である第１折り畳み部、時々使用するＲＦＩＤチップを埋め
込んだプラスティックカードを格納する場所である第２折り畳み部、頻繁に使用されるＲ
ＦＩＤチップを埋め込んだプラスティックカードを格納する場所である第３折り畳み部を
有する収納容器と、
第１折り畳み部の両面を部分的にシールドで覆うことによって、ＲＦＩＤリーダと収納容
器に格納した複数のＲＦＩＤチップと通信の際に生じる混信の程度を低下させる手段と、
第２折り畳み部の両面を部分的にシールドで覆うことによって、ＲＦＩＤリーダと収納容
器に格納した複数のＲＦＩＤチップと通信の際に生じる混信の程度を低下させる手段と、
第１折り畳み部にＲＦＩＤチップを埋め込んだプラスティックカード格納するに際しては、
使用者が収納容器の表面に施された色彩、文字、凹凸模様等の情報に基づいて、当該プラ
スティックカードに埋め込まれたＲＦＩＤチップがシールドで覆われた下方の特定部分に
位置するように格納する手段と、
第２折り畳み部にＲＦＩＤチップを埋め込んだプラスティックカードを格納するに際して
は、使用者が収納容器の表面部に施された色彩、文字、凹凸模様等の情報に基づいて、当
該プラスティックカードに埋め込まれたＲＦＩＤチップがシールドで覆われた下方の特定
部分に位置するように格納する手段と、
第３折り畳み部にＲＦＩＤチップを埋め込んだプラスティックカードを格納するに際して
は、収納容器の表面部に施された色彩、文字、凹凸模様等の情報に基づいて、当該プラス
ティックカードに埋め込まれたＲＦＩＤチップが上方の特定部分に位置するように格納す
る手段を有し、
利用に際しては、使用者が当該収納容器に格納したプラスティックカードをＲＦＩＤリー
ダと平行になるように当該収納容器を位置取りすることで、複数のＲＦＩＤチップとＲＦ
ＩＤリーダとの間で発生する混信の程度を低下させる。
【００２２】
また、第２折り畳み部に格納したプラスティックカードに埋め込まれてい
るＲＦＩＤチップを収納容器に格納したまま使用することはできないため、使用者は第２
折り畳み部に開けた穴に指をあてて当該プラスティックカードを収納容器から取り出し、
ＲＦＩＤリーダと通信させて使用する。
【００２３】
また、第１折り畳み部及び第２折り畳み部のプラスティックカード格納場
所は部分的に両側からシールドされているため、当該シールド部分に覆われているＲＦＩ
Ｄチップは不正な問い合わせ、破壊、改竄から防護されている。
【００２４】
また、第３折り畳み部に格納されているプラスティックカードに埋め込ま
れたＲＦＩＤチップは、シールドされていないため、ＲＦＩＤリーダとの間で電磁波を用
いて自由に信号を交換することができる。
【発明の効果】
【００２５】
本発明によれば、同一周波数を用いて通信を行う複数のＲＦＩＤチップ
を一つの収納容器に格納したままで、複数のＲＦＩＤチップとＲＦＩＤリーダとの間で発
生する混信の程度を低下させることができる。
【発明を実施するための最良の形態】
【００２６】
図１は全体構成図である。
【００２７】
図１において、格納容器２にはＲＦＩＤチップを埋め込んだプラスティッ
クカード５とＲＦＩＤチップを埋め込んだプラスティックカード６が収められており、二
つのＲＦＩＤチップの間には電磁波を遮蔽するシールド９が設置されている。
【００２８】
使用者は格納容器２の外側表面に施された色彩、文字、凹凸模様等の情報
に基づき、ＲＦＩＤリーダと通信させるＲＦＩＤチップを選定し、選定したＲＦＩＤチッ
プをＲＦＩＤリーダに向けて最も近くなるように位置取りし、ＲＦＩＤリーダに向かって
シールドの背後に他のＲＦＩＤチップがくるように位置取りをして使用する。
【００２９】
ＲＦＩＤリーダがＲＦＩＤチップに向かって電磁波を使用して問い合わせ
を行い、ＲＦＩＤチップがＲＦＩＤリーダに向かって電磁波を使用して応答することによ
り、両者の通信が行われる。
【００３０】
図２は本発明の一実施形態における格納容器の構造図である。
【００３１】
図２において、収納容器１２は、色彩、文字、凹凸模様を施した第１折り
畳み部の表面１０と、表面１０とは異なる色彩、文字、凹凸模様を施した第２折り畳み部
の表面１４を有しており、使用者は収納容器の表面に触れるか又は収納容器の表面の色や
文字を識別することで、第１折り畳み部１５と第２折り畳み部２０を識別できる。
【００３２】
収納容器１２において、第１折り畳み部１５にはＲＦＩＤを埋め込んだプ
ラスティックカードを格納する部分１１が設けられており、第２折り畳み部２０にはＲＦ
ＩＤを埋め込んだプラスティックカードを格納する部分１９が設けられており、二つのＲ
ＦＩＤチップを埋め込んだプラスティックカードを格納するための格納場所の間には電磁
波を遮蔽するシールド１６が設けられており、二枚のプラスティックカードは別個に出し
入れできるようになっている。
【００３３】
次に、本実施形態における動作について説明する。
【００３４】
使用者は、この収納容器１２を折り畳んだ状態で利用するに際して、収納
容器の表面に施された色彩、文字、凹凸模様等の情報に基づき、収納容器に格納された二
つのＲＦＩＤチップの中で一方を選定し、当該ＲＦＩＤチップをＲＦＩＤリーダの最も近
くに位置取し、ＲＦＩＤリーダに向かって電磁波を遮蔽するシールド１６の背後に通信さ
せたくないＲＦＩＤチップがくるように位置取りをする。
【００３５】
ＲＦＩＤリーダは収納容器１２に対して問い合わせ信号を発信し、収納容
器２０の中では、ＲＦＩＤリーダから発信された問い合わせ信号に対して最も近くに位置
取りされたＲＦＩＤチップがその応答信号を発信するが、シールドが電磁波を遮蔽するた
め、電磁波を遮蔽するシールド１６の背後に位置する他方のＲＦＩＤチップがＲＦＩＤリ
ーダからの問い合わせ信号に応答する程度を低下させることができる。
【００３６】
引き続き、図３に基づき、本発明の実施形態を説明する。
【００３７】
図３は本発明の一実施形態におけるプラスティックカードの構造図である。
【００３８】
図３において、プラスティックカード２２は、色彩、文字、凹凸模様を施
した表面２１と、表面２１とは異なる色彩、文字、凹凸模様を施した表面２６を有してお
り、使用者は収納容器の表面に触れるか又は収納容器の表面の色や文字を識別することで、
表面２１と表面２６を識別できる。
【００３９】
また、このプラスティックカード２２の中心には電磁波を遮蔽するシール
ド２３が埋め込まれており、当該シールドの両側には同一周波数を使用するＲＦＩＤチッ
プ２４とＲＦＩＤチップ２５が配置してあり、この全体は一枚のプラスティックカードと
して成形されている。
【００４０】
次に、本実施形態における動作について説明する。
【００４１】
使用者は、このプラスティックカード２２を利用するに際して、プラステ
ィックカードの一方の面に施された色彩、文字、凹凸模様等の情報に基づき、二つのＲＦ
ＩＤチップの中でいずれか一方を選定し、当該ＲＦＩＤチップをＲＦＩＤリーダの最も近
くに位置取し、ＲＦＩＤリーダに向かって電磁波を遮蔽できるシールド２３の背後に通信
させたくないＲＦＩＤチップが来るように位置取りをする。
【００４２】
ＲＦＩＤリーダはプラスティックカード２２に対して問い合わせ信号を発
信し、プラスティックカード２２の中では、ＲＦＩＤリーダから発信された問い合わせ信
号に対して最も近くに位置取りされたＲＦＩＤチップがその応答信号を発信するが、シー
ルド２３が電磁波を遮蔽するため、他方のＲＦＩＤチップがＲＦＩＤリーダからの問い合
わせ信号に応答することにより発生する混信の程度を低下させることができる。
【００４３】
このプラスティックカード２２を収納容器に格納して使用する場合、使用
者は当該収納容器の表面に施された色彩、文字、凹凸模様等の情報に基づき、収納容器に
格納されたプラスティックカード２２に埋め込まれた二つのＲＦＩＤチップから一方を選
定し、当該ＲＦＩＤチップをＲＦＩＤリーダの最も近くに位置取し、ＲＦＩＤリーダに向
かって電磁波を遮蔽するシールド２３の背後に通信させたくないＲＦＩＤチップがくるよ
うに位置取りをする。
【００４４】
ＲＦＩＤリーダはプラスティックカード２２に対して問い合わせ信号を発
信し、収納容器の中では、ＲＦＩＤリーダから発信された問い合わせ信号に対して最も近
くに位置取りされたＲＦＩＤチップがその応答信号を発信するが、シールドが電磁波を遮
蔽するため、シールドの背後に位置する他方のＲＦＩＤチップがＲＦＩＤリーダからの問
い合わせ信号に応答することによる発生する混信の程度を低下させることができる。
このため、使用者はプラスティックカード２２を収納容器から取り出すことなく、使用で
きる。
【００４５】
引き続き、図４に基づき、本発明の実施形態を説明する。
【００４６】
図４は本発明の一実施形態における収納容器の構造図である。
【００４７】
図４において、収納容器３１は、余り頻繁には使われないＲＦＩＤチップ
を埋め込んだプラスティックカードを格納する第１折り畳み部３４及び頻繁に使用するＲ
ＦＩＤチップを埋め込んだプラスティックカードを格納する第２折り畳み部３９を有し、
第１折り畳み部３４の上方表面部２７と下方表面部３３、第２折り畳み部３９の上方表面
部３２と下方表面部４０にはそれぞれ色彩、文字、凹凸模様が施してある。
【００４８】
第１折り畳み部３４の下方表面部３３と第２折り畳み部３９の上方表面部
３２に施した色彩、文字、凹凸模様がそれぞれ異なるため、使用者は収納容器の表面に触
れるかあるいは収納容器の表面の色や文字を識別することで、折り畳んだ収納容器の裏表
と上下を識別することができる。
【００４９】
また、余り頻繁には使われないＲＦＩＤチップを埋め込んだプラスティッ
クカードはポケット３６を通して格納部分３５に出し入れし、頻繁に使うＲＦＩＤチップ
を埋め込んだプラスティックカードはポケット３７を通して格納部分３８に出し入れする
ようになっている。
【００５０】
また、第１折り畳み部３４に設けられたプラスティックカードを格納する
場所３５には、電磁波を遮蔽するシールド２８とシールド２９が設置してあり、格納して
いるプラスティックカードに埋め込まれたＲＦＩＤチップを裏表の両面から電磁波遮蔽し
ている。
【００５１】
余り頻繁には使われないＲＦＩＤチップを埋め込んだプラスティックカー
ドを格納する時には、使用者は収納容器の表面部に施された色彩、文字、凹凸模様等の情
報に基づいて、プラスティックカードに埋め込まれたＲＦＩＤチップが収納容器の電磁波
を遮蔽するシールドで覆われた下方部分に位置するように格納する。
【００５２】
頻繁に使うＲＦＩＤチップを埋め込んだプラスティックカードを格納する
時には、使用者は収納容器の表面部に施された色彩、文字、凹凸模様等の情報に基づいて、
埋め込まれたＲＦＩＤチップが上方部分に位置するように格納する。
【００５３】
次に、本実施形態における動作について説明する。
【００５４】
使用者は、この収納容器３１を利用するに際して、収納容器に格納した複
数のＲＦＩＤチップとＲＦＩＤリーダとの間に生じる混信の程度を低下させるため、格納
したプラスティックカードとＲＦＩＤリーダが平行になるように当該収納容器を位置取り
して使用する。
【００５５】
ＲＦＩＤリーダは収納容器３１に対して問い合わせ信号を発信し、収納容
器３１の中では、ＲＦＩＤリーダから発信された問い合わせ信号に対して頻繁に使うＲＦ
ＩＤ チップがその応答信号を発信するが、シールド２８と２９が電磁波を遮蔽するため、
余り頻繁には使われないＲＦＩＤチップがＲＦＩＤリーダからの問い合わせ信号に応答す
ることはない。
【００５６】
また、使用者が格納したプラスティックカードとＲＦＩＤリーダが平行に
なるように当該収納容器を位置取りして使用するため、頻繁に使うＲＦＩＤチップは電磁
波遮蔽シールドにより妨げられることはなく、ＲＦＩＤリーダと通信を行うことができる。
【００５７】
引き続き、図５に基づき、本発明の実施形態を説明する。
【００５８】
図５は本発明の一実施形態における収納容器の構造図である。
【００５９】
図５において、収納容器５９は、余り頻繁には使われないＲＦＩＤチップ
を埋め込んだプラスティックカードを格納する第１折り畳み部４２、時々使用するＲＦＩ
Ｄチップを埋め込んだプラスティックカードを格納する第２折り畳み部４４、頻繁に使用
されるＲＦＩＤチップを埋め込んだプラスティックカードを格納する第３折り畳み部５０
を有しており、第１折り畳み部４２の上方表面部４１と下方表面部５３、第３折り畳み部
５０の上方表面部５２と下方表面部５８には色彩、文字、凹凸模様が施してある。
【００６０】
第１折り畳み部４２の下方表面部５３と第３折り畳み部５０の上方表面部
５２に施した色彩、文字、凹凸模様はそれぞれ異なるため、使用者は収納容器の表面に触
れるかあるいは収納容器の表面の色や文字を識別することで、折り畳んだ収納容器の裏表
と上下を識別することができる。
【００６１】
また、第１折り畳み部４２に設置したプラスティックカード格納部分４３
では、ポケット４７を通じてプラスティックカードを出し入れする。
【００６２】
また、第２折り畳み部４４に設置したプラスティックカード格納部分４５
では、ポケット４８を通じてプラスティックカードを出し入れする。
【００６３】
また、第３折り畳み部５０に設置したプラスティックカード格納部分５１
では、ポケット４９を通じてプラスティックカードを出し入れする。
【００６４】
また、第１折り畳み部４２に設けられたプラスティックカードを格納する
場所４３には、ＲＦＩＤチップを裏と表の両面から電磁波を遮蔽するシールド５４と５５
が設置してある。
【００６５】
また、第２折り畳み部４４に設けられたプラスティックカードを格納する
場所４５には、ＲＦＩＤチップを裏と表の両面から電磁波を遮蔽するシールド５６と５７
が設置してある。
【００６６】
また、第１折り畳み部４２にプラスティックカードを格納する時には、使
用者は第１折り畳み部４２の下方表面部５３及び第３折り畳み部５０の上方表面部５２に
施した色彩、文字、凹凸模様に基づいて、プラスティックカードに埋め込まれたＲＦＩＤ
チップが収納容器の電磁波を遮蔽するシールドで覆われた場所に位置するように格納する。
【００６７】
また、第２折り畳み部４４にプラスティックカードを格納する時には、使
用者は第１折り畳み部４２の下方表面部５３及び第３折り畳み部５０の上方表面部５２に
施した色彩、文字、凹凸模様に基づいて、プラスティックカードに埋め込まれたＲＦＩＤ
チップが収納容器の電磁波を遮蔽するシールドで覆われた場所に位置するように格納する。
【００６８】
また、第３折り畳み部５０にプラスティックカードを格納する時には、使
用者は第１折り畳み部４２の下方表面部５３及び第３折り畳み部５０の上方表面部５２に
施した色彩、文字、凹凸模様に基づいて、プラスティックカードに埋め込まれたＲＦＩＤ
チップが収納容器の上方の特定部分に位置するように格納する。
【００６９】
次に、本実施形態における動作について説明する。
【００７０】
使用者は、この収納容器５９を利用するに際して、格納した複数のＲＦＩ
ＤチップとＲＦＩＤリーダとの間に生じる混信の程度を低下させるため、格納したプラス
ティックカードとＲＦＩＤリーダが平行になるように収納容器５９を位置取りして使用す
る。
【００７１】
ＲＦＩＤリーダは収納容器５９に対して問い合わせ信号を発信し、収納容
器５９の中ではＲＦＩＤリーダから発信された問い合わせ信号に対して第３折り畳み部に
格納されているＲＦＩＤチップは応答信号を発信するが、シールド５４、５５、５６、５
７が電磁波を遮蔽するため、第１折り畳み部及び第２折り畳み部に格納されているＲＦＩ
ＤチップがＲＦＩＤリーダからの問い合わせ信号に応答することはない。
【００７２】
また、使用者が格納したプラスティックカードとＲＦＩＤリーダが平行に
なるように当該収納容器を位置取りして使用するため、頻繁に使うＲＦＩＤチップは電磁
波遮蔽シールドにより妨げられることはなく、ＲＦＩＤリーダと通信を行うことができる。
【００７３】
また、シールドとは、電磁波を遮断する機能を有するものであれば何でも
よく、例えば、金属板、金属箔、金属膜を塗った布、金属を織り込んだ布、板状に成形し
た電波吸収材、電波吸収剤を塗布した繊維等を用いてもよい。
【００７４】
また、ＲＦＩＤとは、電磁波を利用して非接触でデータの読み出しと書き
込みを行うシステムのことであり、Ｒａｄｉｏ Ｆｒｅｑｕｅｎｃｙ Ｉｄｅｎｔｉｆｉｃ
ａｔｉｏｎを短縮した言葉である。
【００７５】
また、図４及び図５においては、第１折り畳み部にシールドされた部分を
設定したが、左右の折り畳み部を入れ替えて、右側にシールド部分を設定してもよい。
【産業上の利用可能性】
【００７６】
本発明は、同一周波数を用いているＲＦＩＤチップを埋め込ん
だ複数のプラスティックカードを一つの収納容器に格納し、収納容器からプラスティック
カードを抜き出すことなく、特定のＲＦＩＤチップとＲＦＩＤリーダと通信させる業務、
又は一枚のプラスティックカードの裏と表に同一周波数を用いてＲＦＩＤチップを埋め込
んでどちらか一方のＲＦＩＤチップを選択してＲＦＩＤリーダと通信させる業務に適用で
きる。
【図面の簡単な説明】
【００７７】
【図１】ＲＦＩＤリーダ、収納容器、ＲＦＩＤチップの関連を示す全体構成図である。
【図２】本発明の一実施形態における収納容器の構造図である。
【図３】本発明の一実施形態におけるプラスティックカードの構造図である。
【図４】本発明の一実施形態における収納容器の構造図である。
【図５】本発明の一実施形態における格納容器の構造図である。
【符号の説明】
【００７８】
１  ＲＦＩＤリーダ
２  収納容器
３  収納容器の外側表面に施された色彩、文字、凹凸模様
４  ＲＦＩＤチップ
５  ＲＦＩＤチップを埋め込んだプラスティックカード
６  ＲＦＩＤチップを埋め込んだプラスティックカード
７  ＲＦＩＤチップ
８  収納容器の外側表面に施された色彩、文字、凹凸模様
９  電磁波を遮蔽するシールド
１０  第１折り畳み部の外側表面に施された色彩、文字、凹凸模様
１１  ＲＦＩＤを埋め込んだプラスティックカードを格納する部分
１２  収納容器
１３  中心の折り畳み部分
１４  第２折り畳み部の外側表面に施された色彩、文字、凹凸模様
１５  第１折り畳み部
１６  電磁波を遮蔽するシールド
１７  ＲＦＩＤを埋め込んだプラスティックカードを格納するポケット
１８  ＲＦＩＤを埋め込んだプラスティックカードを格納するポケット
１９  ＲＦＩＤを埋め込んだプラスティックカードを格納する部分
２０  第２折り畳み部
２１  プラスティックカードの表面に施された色彩、文字、凹凸模様
２２  プラスティックカード
２３  電磁波を遮蔽するシールド
２４  ＲＦＩＤチップ
２５  ＲＦＩＤチップ
２６  プラスティックカードの表面に施された色彩、文字、凹凸模様
２７  第１折り畳み部の上方表面部に施された色彩、文字、凹凸模様
２８  電磁波を遮蔽するシールド
２９  電磁波を遮蔽するシールド
３０  折り畳み部分
３１  収納容器
３２  第２折り畳み部の上方表面部に施された色彩、文字、凹凸模様
３３  第１折り畳み部の下方表面部に施された色彩、文字、凹凸模様
３４  第１折り畳み部
３５  ＲＦＩＤを埋め込んだ一方のプラスティックカードを格納する場所
３６  ＲＦＩＤを埋め込んだプラスティックカードを格納するポケット
３７  ＲＦＩＤを埋め込んだプラスティックカードを格納するポケット
３８  ＲＦＩＤを埋め込んだ他方のプラスティックカードを格納する場所
３９  第２折り畳み部
４０  第２折り畳み部の下方表面部に施された色彩、文字、凹凸模様
４１  第１折り畳み部の上方表面部に施された色彩、文字、凹凸模様
４２  第１折り畳み部
４３  ＲＦＩＤを埋め込んだプラスティックカードを格納する部分
４４  第２折り畳み部
４５  ＲＦＩＤを埋め込んだプラスティックカードを格納する部分
４６  プラスティックカードを出し入れするための穴
４７  第１折り畳み部のポケット
４８  第２折り畳み部のポケット
４９  第３折り畳み部のポケット
５０  第３折り畳み部
５１  ＲＦＩＤを埋め込んだプラスティックカードを格納する部分
５２  第３折り畳み部の上方表面部に施された色彩、文字、凹凸模様
５３  第１折り畳み部の下方表面部に施された色彩、文字、凹凸模様
５４  電磁波を遮蔽するシールド
５５  電磁波を遮蔽するシールド
５６  電磁波を遮蔽するシールド
５７  電磁波を遮蔽するシールド
５８  第３折り畳み部の下方表面部に施された色彩、文字、凹凸模様
５９  収納容器
【図１】
2006309630.tif 000003
【図２】
2006309630.tif 000004
【図３】
2006309630.tif 000005
【図４】
2006309630.tif 000006
【図５】
2006309630.tif 000007